(57)【特許請求の範囲】
【請求項１】
シミュレーション用の信号パターンを形成するポイントを入力する入力手段と、該入力手段から入力されたポイントによって形成される信号パターンを記憶する第１の記憶手段と、前記信号パターンを表示する表示手段とを備えた信号パターン作成システムにおいて、
前記信号パターンに関して参考となる他の信号パターンを記憶した第２の記憶手段を備え、
信号パターンの作成中に、前記第２の記憶手段に記憶された前記他の信号パターンを参考図として前記表示手段に表示し得るように構成され、
前記第１の記憶手段が、前記他の信号パターンが参考図として前記表示手段に表示されている時に、前記入力手段から入力され、前記表示手段に表示されたポイントによって形成される信号パターンを記憶し得るものであり、
作成される信号パターンの物理単位と参考図としての前記他の信号パターンの物理単位とが異なっており、
参考図としての信号パターンが複数ｎ（＞１）存在する場合、フルスケールをｎ等分し、分割された表示領域毎にこれらの各信号パターンを表示するようになっていることを特徴とする信号パターン作成システム。
【請求項２】
前記入力手段がポインタを移動させることによってポイントの入力を行うように構成され、前記ポインタの示す時間と信号値とを前記表示手段に表示するようになっていることを特徴とする請求項１記載の信号パターン作成システム。
【請求項３】
前記ポインタの示す時間に対応する、前記信号パターンにおける信号値を前記表示手段に表示するようになっていることを特徴とする請求項２記載の信号パターン作成システム。
【請求項４】
前記ポインタの示す時間に対応する、前記参考図における信号値を前記表示手段に表示するようになっていることを特徴とする請求項２又は請求項３記載の信号パターン作成システム。
【請求項５】
これら参考図としての信号パターンを色分け及び／又は線種分けを行って表示するようになっていることを特徴とする請求項１〜４のいずれかの項に記載の信号パターン作成システム。
【請求項６】
シミュレーション用の信号パターンを形成するポイントを入力する入力手段と、該入力手段から入力されたポイントによって形成される信号パターンを記憶する第１の記憶手段を複数個と、複数の前記信号パターンを同一表示画面上に表示する表示手段とを備えた信号パターン作成システムであって、  前記表示手段に表示される複数の信号パターンの中から、作成対象とする信号パターンを切り換えるための第１の切換手段を備え、
さらに、前記第１の記憶手段それぞれが、前記入力手段から入力されたポイントによって形成される複数の信号パターンのうちのいずれかを記憶するものであり、
また、これら複数の信号パターンそれぞれが、前記第１の切換手段による切り換えの対象であり、
複数の信号パターンを同一表示画面上で作成可能に構成されていることを特徴とする信号パターン作成システム。
【請求項７】
シミュレーション用の信号パターンを作成するために、該信号パターンを形成するポイントを入力する入力手段と、該入力手段から入力された前記ポイント及び該ポイントによって形成される信号パターンを記憶する第１の記憶手段を複数個と、これら第１の記憶手段に記憶された前記ポイント及び前記信号パターンを表示する表示手段とを備えた信号パターン作成システムであって、
複数のウインドウを形成するウインドウ機能と、アクティブにするウインドウを切り換えるための第２の切換手段を備え、各ウインドウでそれぞれ異なる信号パターンを作成可能に構成され、
さらに、一方のウインドウ上で作成する信号パターンの参考図として、他のウインドウ上の信号パターンを前記一方のウインドウ上に表示可能に構成されていることを特徴とする信号パターン作成システム。
【請求項８】
参考図として利用されている前記他のウインドウ上の信号パターンが変更されると、前記一方のウインドウ上に表示されている参考図としての信号パターンも同様に変更されるようになっていることを特徴とする請求項７記載の信号パターン作成システム。
【請求項９】
シミュレーション用の信号パターンを形成するポイントを入力する入力手段と、該入力手段から入力されたポイントによって形成される信号パターンを記憶する第１の記憶手段と、前記信号パターンを表示する表示手段とを備えた信号パターン作成システムにおいて、
前記信号パターンに関して参考となる他の信号パターンを記憶した第２の記憶手段を備え、
信号パターンの作成中に、前記第２の記憶手段に記憶された前記他の信号パターンを参考図として前記表示手段に表示し得るように構成され、
さらに、前記第１の記憶手段が、前記他の信号パターンが参考図として前記表示手段に表示されている時に、前記入力手段から入力され、前記表示手段に表示されたポイントによって形成される信号パターンを記憶し得るものであり、
また、前記入力手段がポインタを移動させることによってポイントの入力を行うように構成され、前記ポインタの示す時間と信号値とを前記表示手段に表示するようになっており、
さらに、前記ポインタの示す時間に対応する、前記信号パターンにおける信号値を前記表示手段に表示するようになっていることを特徴とする信号パターン作成システム。
【請求項１０】
シミュレーション用の信号パターンを形成するポイントを入力する入力手段と、該入力手段から入力されたポイントによって形成される信号パターンを記憶する第１の記憶手段と、前記信号パターンを表示する表示手段とを備えた信号パターン作成システムにおいて、
前記信号パターンに関して参考となる他の信号パターンを記憶した第２の記憶手段を備え、
信号パターンの作成中に、前記第２の記憶手段に記憶された前記他の信号パターンを参考図として前記表示手段に表示し得るように構成され、
さらに、前記第１の記憶手段が、前記他の信号パターンが参考図として前記表示手段に表示されている時に、前記入力手段から入力され、前記表示手段に表示されたポイントによって形成される信号パターンを記憶し得るものであり、
また、前記入力手段がポインタを移動させることによってポイントの入力を行うように構成され、前記ポインタの示す時間と信号値とを前記表示手段に表示するようになっており、
さらに、前記ポインタの示す時間に対応する、前記参考図における信号値を前記表示手段に表示するようになっていることを特徴とする信号パターン作成システム。
【請求項１１】
シミュレーション用の信号パターンを形成するポイントを入力する入力手段と、該入力手段から入力されたポイントによって形成される信号パターンを記憶する第１の記憶手段と、前記信号パターンを表示する表示手段とを備えた信号パターン作成システムにおいて、
前記信号パターンに関して参考となる他の信号パターンを記憶した第２の記憶手段を備え、
信号パターンの作成中に、前記第２の記憶手段に記憶された前記他の信号パターンを参考図として前記表示手段に表示し得るように構成され、
さらに、前記第１の記憶手段が、前記他の信号パターンが参考図として前記表示手段に表示されている時に、前記入力手段から入力され、前記表示手段に表示されたポイントによって形成される信号パターンを記憶し得るものであり、
また、参考図としての信号パターンが複数ｎ（＞１）存在する場合、フルスケールをｎ等分し、分割された表示領域毎にこれらの各信号パターンを表示するようになっていることを特徴とする信号パターン作成システム。
【発明の詳細な説明】
【０００１】
【発明の属する技術分野】
本発明は信号パターン作成システムに関し、より詳細には、シミュレーション用の信号パターンを作成する信号パターン作成システムに関する。
【０００２】
【従来の技術】
被試験物に信号を与えて、そのレスポンスを計測し、前記被試験物の性能の評価等を行う評価システムがある。この評価システムで使用する信号パターンの作成方法としては、ディスプレイ等でモニタしながら、マウスやキーボード等で時系列的に信号値を入力していく方法がある。
【０００３】
図１４は、従来における信号パターン作成システムの要部を概略的に示したブロック図である。図中１は、ＣＰＵを示しており、ＣＰＵ１、メモリ２、入力手段３、及び表示手段４はバス線５を介して接続されている。入力手段３はシミュレーション用の信号パターンを作成するために、該信号パターンを形成するポイントを入力するものであり、メモリ２は入力手段３から入力された前記ポイント及び該ポイントによって形成される信号パターンを記憶するものである。また、表示手段４はメモリ２に記憶された前記ポイント及び前記信号パターンを表示するものである。
【０００４】
図１５は、評価システムに従来の信号パターン作成システムを組み込んだ構成の一例を示したブロック図である。図中７は、パソコンの本体部を示しており、本体部７、キーボード８、マウス９、及びディスプレイ１０からパソコン６が構成され、パソコン６と被試験物１３とは、出力装置１１及び入力装置１２を介して接続されている。
【０００５】
キーボード８やマウス９を用いて、被試験物１３に対して時系列的に与える信号値のポイントを入力していき、出力信号パターンを作成して、メモリに登録するように構成されており、試験実施時にはこの信号パターンを被試験物１３に出力装置１１を通じて出力し、そのレスポンスを入力装置１２を通じて取り入れ、評価するようになっている。例えば、ＥＦＩ（Electronic Fuel Injection ）のＥＣＵ（Electronic Control Unit ）における試験には、登録しておいたエンジン回転や、スロットル開度等の信号パターンを与え、そしてＥＣＵのレスポンスを計測して評価している。
【０００６】
【発明が解決しようとする課題】
上述したように、被試験物の性能の評価等を行うには、シミュレーション用の信号パターンを作成する必要がある。通常では、一つの被試験物に対して信号パターンは複数必要となっており、その各々の信号パターンは他の信号パターンと関連している場合が多い。
【０００７】
しかしながら、従来の信号パターン作成システムでは、作成中の信号パターンのみしか表示できない構成となっており、関連している他の信号パターンを同一画面において作業者がモニタすることができない。
【０００８】
本発明は上記課題に鑑みなされたものであって、作成する信号パターンに関連する他の信号パターンを参考図として同一画面に表示させることのできる信号パターン作成システムを提供することを目的としている。
【０００９】
【課題を解決するための手段及びその効果】
上記目的を達成するために本発明に係る信号パターン作成システム（１）は、シミュレーション用の信号パターンを形成するポイントを入力する入力手段と、該入力手段から入力されたポイントによって形成される信号パターンを記憶する第１の記憶手段と、前記信号パターンを表示する表示手段とを備えた信号パターン作成システムにおいて、前記信号パターンに関して参考となる他の信号パターンを記憶した第２の記憶手段を備え、信号パターンの作成中に、前記第２の記憶手段に記憶された前記他の信号パターンを参考図として前記表示手段に表示し得るように構成され、前記第１の記憶手段が、前記他の信号パターンが参考図として前記表示手段に表示されている時に、前記入力手段から入力され、前記表示手段に表示されたポイントによって形成される信号パターンを記憶し得るものであり、作成される信号パターンの物理単位と参考図としての前記他の信号パターンの物理単位とが異なっており、参考図としての信号パターンが複数ｎ（＞１）存在する場合、フルスケールをｎ等分し、分割された表示領域毎にこれらの各信号パターンを表示するようになっていることを特徴としている。
【００１０】
上記信号パターン作成システム（１）によれば、関連する他の信号パターンを参考図として、作成する信号パターンと同一画面に表示させることによって、信号パターンの作成が容易となるので、作業効率を向上させることができる。さらに、分割された表示領域毎に参考図としての各信号パターンが表示されるので、作業者にとって認識し易いものとすることができる。
【００１１】
また、本発明に係る信号パターン作成システム（２）は、上記信号パターン作成システム（１）において、前記入力手段がポインタを移動させることによってポイントの入力を行うように構成され、前記ポインタの示す時間と信号値とを前記表示手段に表示するようになっていることを特徴としている。
【００１２】
上記信号パターン作成システム（２）によれば、前記ポインタの示す時間と信号値とを作業者が正確に知ることができるので、所望の信号パターンをより正確に、かつより容易に作成することができるようになる。
【００１３】
また、本発明に係る信号パターン作成システム（３）は、上記信号パターン作成システム（２）において、前記ポインタの示す時間に対応する、前記信号パターンにおける信号値を前記表示手段に表示するようになっていることを特徴としている。
【００１４】
上記信号パターン作成システム（３）によれば、前記ポインタの示す時間に対応する、作成中の信号パターンにおける信号値と前記ポインタの示す信号値との差を作業者が正確に知ることができるようになる。
【００１５】
また、本発明に係る信号パターン作成システム（４）は、上記信号パターン作成システム（２）又は（３）において、前記ポインタの示す時間に対応する、前記参考図における信号値を前記表示手段に表示するようになっていることを特徴としている。
【００１６】
上記信号パターン作成システム（４）によれば、前記ポインタの示す時間に対応する、前記参考図としての他の信号パターンにおける信号値と前記ポインタの示す信号値との差を作業者が正確に知ることができるようになる。
【００１７】
また、本発明に係る信号パターン作成システム（５）は、上記信号パターン作成システム（１）〜（４）のいずれかにおいて、これら参考図としての信号パターンを色分け及び／又は線種分けを行って表示するようになっていることを特徴としている。
【００１８】
上記信号パターン作成システム（５）によれば、複数の参考図を色分け及び／又は線種分けすることによって、作業者が各々の参考図を正確に認識することができるようになる。
【００１９】
また、本発明に係る信号パターン作成システム（６）は、シミュレーション用の信号パターンを形成するポイントを入力する入力手段と、該入力手段から入力されたポイントによって形成される信号パターンを記憶する第１の記憶手段を複数個と、複数の前記信号パターンを同一表示画面上に表示する表示手段とを備えた信号パターン作成システムであって、前記表示手段に表示される複数の信号パターンの中から、作成対象とする信号パターンを切り換えるための第１の切換手段を備え、さらに、前記第１の記憶手段それぞれが、前記入力手段から入力されたポイントによって形成される複数の信号パターンのうちのいずれかを記憶するものであり、また、これら複数の信号パターンそれぞれが、前記第１の切換手段による切り換えの対象であり、複数の信号パターンを同一表示画面上で作成可能に構成されていることを特徴としている。
【００２０】
上記信号パターン作成システム（６）によれば、複数の信号パターンを同一画面上で作成することができるので、作業者にとって大変使い勝手の良いものとなる。
【００２１】
また、本発明に係る信号パターン作成システム（７）は、シミュレーション用の信号パターンを作成するために、該信号パターンを形成するポイントを入力する入力手段と、該入力手段から入力された前記ポイント及び該ポイントによって形成される信号パターンを記憶する第１の記憶手段を複数個と、これら第１の記憶手段に記憶された前記ポイント及び前記信号パターンを表示する表示手段とを備えた信号パターン作成システムであって、複数のウインドウを形成するウインドウ機能と、アクティブにするウインドウを切り換えるための第２の切換手段を備え、各ウインドウでそれぞれ異なる信号パターンを作成可能に構成され、さらに、一方のウインドウ上で作成する信号パターンの参考図として、他のウインドウ上の信号パターンを前記一方のウインドウ上に表示可能に構成されていることを特徴としている。
【００２２】
上記信号パターン作成システム（７）によれば、複数のウインドウを同時にオープンにして、複数の信号パターンを同一画面上で作成することができるので、作業者にとって大変使い勝手の良いものとなる。さらに、同一ウインドウ上に他のウインドウ上で作成する信号パターンを表示させることができるので、信号パターンの作成が容易となる。
【００２３】
また、本発明に係る信号パターン作成システム（８）は、上記信号パターン作成システム（７）において、参考図として利用されている前記他のウインドウ上の信号パターンが変更されると、前記一方のウインドウ上に表示されている参考図としての信号パターンも同様に変更されるようになっていることを特徴としている。
【００２４】
上記信号パターン作成システム（８）によれば、参考図として利用している信号パターンの原本自体に変更があれば、参考図として利用している側の信号パターンも同様に変更されるようになっているので、入力の手間を軽減でき、作業者にとって大変使い勝手の良いものとなる。
【００２５】
また、本発明に係る信号パターン作成システム（９）は、シミュレーション用の信号パターンを形成するポイントを入力する入力手段と、該入力手段から入力されたポイントによって形成される信号パターンを記憶する第１の記憶手段と、前記信号パターンを表示する表示手段とを備えた信号パターン作成システムにおいて、前記信号パターンに関して参考となる他の信号パターンを記憶した第２の記憶手段を備え、信号パターンの作成中に、前記第２の記憶手段に記憶された前記他の信号パターンを参考図として前記表示手段に表示し得るように構成され、さらに、前記第１の記憶手段が、前記他の信号パターンが参考図として前記表示手段に表示されている時に、前記入力手段から入力され、前記表示手段に表示されたポイントによって形成される信号パターンを記憶し得るものであり、また、前記入力手段がポインタを移動させることによってポイントの入力を行うように構成され、前記ポインタの示す時間と信号値とを前記表示手段に表示するようになっており、さらに、前記ポインタの示す時間に対応する、前記信号パターンにおける信号値を前記表示手段に表示するようになっていることを特徴としている。
【００２６】
また、本発明に係る信号パターン作成システム（１０）は、シミュレーション用の信号パターンを形成するポイントを入力する入力手段と、該入力手段から入力されたポイントによって形成される信号パターンを記憶する第１の記憶手段と、前記信号パターンを表示する表示手段とを備えた信号パターン作成システムにおいて、前記信号パターンに関して参考となる他の信号パターンを記憶した第２の記憶手段を備え、信号パターンの作成中に、前記第２の記憶手段に記憶された前記他の信号パターンを参考図として前記表示手段に表示し得るように構成され、さらに、前記第１の記憶手段が、前記他の信号パターンが参考図として前記表示手段に表示されている時に、前記入力手段から入力され、前記表示手段に表示されたポイントによって形成される信号パターンを記憶し得るものであり、また、前記入力手段がポインタを移動させることによってポイントの入力を行うように構成され、前記ポインタの示す時間と信号値とを前記表示手段に表示するようになっており、さらに、前記ポインタの示す時間に対応する、前記参考図における信号値を前記表示手段に表示するようになっていることを特徴としている。
【００２７】
また、本発明に係る信号パターン作成システム（１１）は、シミュレーション用の信号パターンを形成するポイントを入力する入力手段と、該入力手段から入力されたポイントによって形成される信号パターンを記憶する第１の記憶手段と、前記信号パターンを表示する表示手段とを備えた信号パターン作成システムにおいて、前記信号パターンに関して参考となる他の信号パターンを記憶した第２の記憶手段を備え、信号パターンの作成中に、前記第２の記憶手段に記憶された前記他の信号パターンを参考図として前記表示手段に表示し得るように構成され、さらに、前記第１の記憶手段が、前記他の信号パターンが参考図として前記表示手段に表示されている時に、前記入力手段から入力され、前記表示手段に表示されたポイントによって形成される信号パターンを記憶し得るものであり、また、参考図としての信号パターンが複数ｎ（＞１）存在する場合、フルスケールをｎ等分し、分割された表示領域毎にこれらの各信号パターンを表示するようになっていることを特徴としている。
【００２８】
上記信号パターン作成システム（９）〜（１１）によれば、関連する他の信号パターンを参考図として、作成する信号パターンと同一画面に表示させることによって、信号パターンの作成が容易となるので、作業効率を向上させることができる。
【００２９】
また、上記信号パターン作成システム（９）又は（１０）によれば、前記ポインタの示す時間と信号値とを作業者が正確に知ることができるので、所望の信号パターンをより正確に、かつより容易に作成することができるようになる。
【００３０】
さらに、上記信号パターン作成システム（９）によれば、前記ポインタの示す時間に対応する、作成中の信号パターンにおける信号値と前記ポインタの示す信号値との差を作業者が正確に知ることができるようになり、上記信号パターン作成システム（１０）によれば、前記ポインタの示す時間に対応する、前記参考図としての他の信号パターンにおける信号値と前記ポインタの示す信号値との差を作業者が正確に知ることができるようになる。
【００３１】
また、上記信号パターン作成システム（１１）によれば、分割された表示領域毎に参考図としての各信号パターンを表示させることによって、作業者にとって認識し易いものとすることができる。
【００３２】
【発明の実施の形態】
以下、本発明に係る信号パターン作成システムの実施の形態を図面に基づいて説明する。
【００３３】
図１（ａ）は、実施の形態に係る信号パターン作成システム（１）の要部を概略的に示したブロック図である。図中１４は、ＣＰＵを示しており、ＣＰＵ１、第１の記憶手段１５、第２の記憶手段１６、入力手段１７、及び表示手段１８はバス線１９を介して接続されている。入力手段１７はシミュレーション用の信号パターンＳ1を作成するために、信号パターンＳ1を形成するポイントｐ1〜ｐ5を入力するものであり、第１の記憶手段１５は入力手段１７から入力されたポイントｐ1〜ｐ5及びポイントｐ1〜ｐ5によって形成される信号パターンＳ1を記憶するものである。また、第２の記憶手段１６は信号パターンＳ1に関して参考となる他の信号パターンＳ2を記憶させておくためのものであり、表示手段１８は第１の記憶手段１５に記憶されたポイントｐ1〜ｐ5及び信号パターンＳ1と第２の記憶手段１６に記憶された信号パターンＳ2とを表示するものである。ここでは、横軸に時間（ｓｅｃ）をとり、縦軸に信号値（エンジン回転数等を示すｒｐｍ）をとっている。
【００３４】
実施の形態に係る信号パターン作成システム（１）におけるＣＰＵ１の動作を図１（ｂ）に示したフローチャートに基づいて説明する。
まず、第２の記憶手段１６に参考図としての信号パターンＳ2が記憶されているか否かを判断し（Ｓ１）、記憶されていれば、信号パターンＳ2のデータを取り込み（Ｓ２）、そして信号パターンＳ2を表示させる（Ｓ３）。
【００３５】
上記実施の形態に係る信号パターン作成システム（１）によれば、作成する信号パターンＳ1に関して参考となる信号パターンＳ2を信号パターンＳ1と同一画面に表示させることによって、信号パターンＳ1の作成が容易となるので、作業効率を向上させることができる。
【００３６】
図２（ａ）〜図７（ａ）は、実施の形態に係る信号パターン作成システム（１）に基づいて構成された別の実施の形態に係る信号パターン作成システムより表示手段１８に表示される画面の一例を示したものであり、図２（ｂ）〜図７（ｂ）は、それぞれの画面表示制御に対応するＣＰＵ１の動作を示したフローチャートである。
【００３７】
図２（ａ）は、入力手段１７によりポインタＰを移動させてポイントｐ1〜ｐ5の入力を行うようにし、ポインタＰの示す時間と信号値とを表示させるように構成することによって得られる画面である。続いて、この制御におけるＣＰＵ１の動作を図２（ｂ）に示したフローチャートに基づいて説明する。
まず、ポインタＰの示す座標（ｘ，ｙ）を取り込み（Ｓ４）、その座標（ｘ，ｙ）に対応する時間Ｔと信号値Ｎとを算出し（Ｓ５）、そして時間Ｔsec と信号値Ｎrpm とを表示させる（Ｓ６）。
これによって、ポインタＰの示す時間Ｔsec と信号値Ｎrpm とを作業者が正確に知ることができるので、所望の信号パターンをより正確に、かつより容易に作成することができるようになる。
【００３８】
図３（ａ）は、ポインタＰの示す時間に対応する、作成している信号パターンＳAにおける信号値を表示させるように構成することによって得られる画面である。続いて、この制御におけるＣＰＵ１の動作を図３（ｂ）に示したフローチャートに基づいて説明する。
まず、ポインタＰの示す座標（ｘ，ｙ）を取り込み（Ｓ７）、その座標（ｘ，ｙ）に対応する時間Ｔと信号値Ｎと信号値ＮAとを算出し（Ｓ８）、そして時間Ｔsec と信号値Ｎrpm と信号値ＮＡrpmとを表示させる（Ｓ９）。
これによって、ポインタＰの示す時間Ｔsec に対応する、信号パターンＳAにおける信号値ＮＡrpmとポインタＰの示す信号値Ｎrpmとの差を作業者が正確に知ることができるようになる。
【００３９】
図４（ａ）は、ポインタＰの示す時間に対応する、参考図としての信号パターンＳBにおける信号値を表示させるように構成することによって得られる画面である。続いて、この制御におけるＣＰＵ１の動作を図４（ｂ）に示したフローチャートに基づいて説明する。
【００４０】
まず、ポインタＰの示す座標（ｘ，ｙ）を取り込み（Ｓ１０）、その座標（ｘ，ｙ）に対応する時間Ｔと信号値Ｎと信号値ＮAと信号値ＮBとを算出し（Ｓ１１）、そして時間Ｔsec と信号値Ｎrpm と信号値ＮＡrpmと信号値ＮＢrpmとを表示させる（Ｓ１２）。
これによって、ポインタＰの示す時間Ｔsec に対応する、参考図としての信号パターンＳBにおける信号値ＮＢrpmとポインタＰの示す信号値Ｎrpm との差を作業者が正確に知ることができるようになる。
【００４１】
図５（ａ）は、参考図としての信号パターンが複数存在する場合、これら信号パターンＳB、ＳCを色分け及び／又は線種分けを行って表示させるように構成することによって得られる画面である。続いて、この制御におけるＣＰＵ１の動作を図５（ｂ）に示したフローチャートに基づいて説明する。
まず、初期設定としてカウンタｋを０とし（Ｓ１３）、ｎを第２の記憶手段１６に記憶されている参考図の数とする（Ｓ１４）。次に、カウンタｋに１を加え（Ｓ１５）、参考図としての信号パターンＳkのデータを取り込み（Ｓ１６）、そして線種ｋで信号パターンＳkを表示させる（Ｓ１７）。続いて、ｋがｎ以上であるか否かを判断し（Ｓ１８）、ｋがｎ以上であれば、前記動作は終了し、一方、ｋがｎ以上でなければ、Ｓ１５へ戻る。
これによって、作業者が各々の参考図としての信号パターンＳB、ＳCを正確に認識することができるようになる。
【００４２】
図６（ａ）は、作成する信号パターンＳAの物理単位ｒｐｍと参考図としての信号パターンＳCの物理単位とが異なる場合、信号パターンＳCをフルスケールで表示させるように構成することによって得られる画面である。続いて、この制御におけるＣＰＵ１の動作を図６（ｂ）に示したフローチャートに基づいて説明する。
まず、作成する信号パターンＳAの物理単位データＤを取り込み（Ｓ１９）、続いて、参考図としての信号パターンＳCの物理単位データＤSを取り込む（Ｓ２０）。次に、データＤSがデータＤと同一であるか否かを判断する（Ｓ２１）。同一であれば、信号パターンＳAと同一スケールで信号パターンＳCを表示させ（Ｓ２２）、同一でなければ、フルスケールで信号パターンＳCを表示させる（Ｓ２３）。
これによって、作業者に作成中の信号パターンＳAと参考図としての信号パターンＳCとの関連性に混乱を生じさせにくいようにすることができる。また、物理単位が同一の場合には、図５（ａ）に示したように同一スケールで表示させることによって、作業者に参考図をより一層認識し易いものとすることができる。
【００４３】
図７（ａ）は、参考図としての信号パターンが複数ｎ（＞１）存在する場合、フルスケールをｎ等分し、分割された表示領域毎にこれら各信号パターンを表示させるように構成することによって得られる画面である。続いて、この制御におけるＣＰＵ１の動作を図７（ｂ）に示したフローチャートに基づいて説明する。  まず、初期設定としてカウンタｋを０とし（Ｓ２４）、ｎを第２の記憶手段１６に記憶されている参考図の数とする（Ｓ２５）。次に、表示領域をｎ分割し（Ｓ２６）、カウンタｋに１を加え（Ｓ２７）、参考図としての信号パターンＳkのデータを取り込み（Ｓ２８）、そして下からｋ番目の領域に信号パターンＳkを表示させる（Ｓ２９）。続いて、ｋがｎ以上であるか否かを判断し（Ｓ３０）、ｋがｎ以上であれば、前記動作は終了し、一方、ｋがｎ以上でなければ、Ｓ２７へ戻る。
これによって、分割された表示領域毎に参考図としての各信号パターンＳB、ＳCが表示されるので、作業者にとって認識し易いものとすることができる。
【００４４】
図８は、実施の形態に係る信号パターン作成システム（２）の要部を概略的に示したブロック図である。図中２０は、ＣＰＵを示しており、ＣＰＵ２０、第１の記憶手段２１、２２、第１の切換手段２３、入力手段２４、及び表示手段２５はバス線２６を介して接続されている。入力手段２４はシミュレーション用の信号パターンＳ3（Ｓ4）を作成するために、信号パターンＳ3（Ｓ4）を形成するポイントｐ6〜ｐ9（ｐ10〜ｐ14）を入力するものであり、第１の記憶手段２１（２２）は入力手段２４から入力されたポイントｐ6〜ｐ9（ｐ10〜ｐ14）及びポイントｐ6〜ｐ9（ｐ10〜ｐ14）によって形成される信号パターンＳ3（Ｓ4）を記憶するものである。また、第１の切換手段２３は信号パターンの作成対象を切り換えるものであり、表示手段２５は第１の記憶手段２１（２２）に記憶されたポイントｐ6〜ｐ9（ｐ10〜ｐ14）及び信号パターンＳ3（Ｓ4）を表示するものである。
【００４５】
実施の形態に係る信号パターン作成システム（２）におけるＣＰＵ２０の動作を図９に示したフローチャートに基づいて説明する。但し、ここでは作成対象となる信号パターンの個数をＭとする。
【００４６】
まず、初期設定としてカウンタｍを０とし（Ｓ３１）、次に信号パターンの作成対象を切り換える指示があったか否かを判断する（Ｓ３２）。切換指示があれば、カウンタｍに１を加え（Ｓ３３）、カウンタｍがＭ以上であるか否かを判断する（Ｓ３４）、カウンタｍがＭ以上であれば、カウンタｍを１とし（Ｓ３５）、カウンタｍがＭ以上でなければ、Ｓ３６に移る。一方、切換指示がない場合にも、Ｓ３６に移る。
【００４７】
Ｓ３６では、入力手段２４からポイントが入力されたか否かを判断し、ポイント入力されていれば、メモリｍ（第１の記憶手段２１、２２に相当）に入力されたポイントを記憶させ（Ｓ３７）、その内容を表示させる（Ｓ３８）。一方、ポイント入力されていなければ、Ｓ３２へ戻る。
【００４８】
上記実施の形態に係る信号パターン作成システム（２）によれば、複数の信号パターンＳ3、Ｓ4を同一画面上で作成することができるので、作業者にとって大変使い勝手の良いものとなる。
【００４９】
図１０は、実施の形態に係る信号パターン作成システム（３）の要部を概略的に示したブロック図である。図中２７は、ＣＰＵを示しており、ＣＰＵ２７、第１の記憶手段２８、２９、ウインドウ機能３０、第２の切換手段３１、入力手段３２、及び表示手段３３はバス線３４を介して接続されている。入力手段３２はシミュレーション用の信号パターンＳ5、Ｓ6を作成するために、信号パターンＳ5、Ｓ6を形成するポイントを入力するものであり、第１の記憶手段２８、２９は入力手段３２から入力されたポイント及び信号パターンＳ5、Ｓ6を記憶するものである。また、ウインドウ機能は複数のウインドウｗ1、ｗ2を形成するものであり、第２の切換手段３１はアクティブにするウインドウを切り換えるためのものである。また、表示手段３３は第１の記憶手段２８（２９）に記憶されたポイント及び信号パターンＳ5（Ｓ6）を各ウインドウｗ1（ｗ2）に表示するものである。
【００５０】
実施の形態に係る信号パターン作成システム（３）におけるＣＰＵ２７の動作を図１１に示したフローチャートに基づいて説明する。但し、ここでは形成されているウインドウの個数をＷとする。
【００５１】
まず、初期設定としてカウンタｗを０とし（Ｓ３９）、次にアクティブにするウインドウを切り換える指示があったか否かを判断する（Ｓ４０）。切換指示があれば、カウンタｗに１を加え（Ｓ４１）、カウンタｗがＷ以上であるか否かを判断する（Ｓ４２）、カウンタｗがＷ以上であれば、カウンタｗを１とし（Ｓ４３）、カウンタｗがＷ以上でなければ、Ｓ４４に移る。一方、切換指示がない場合にも、Ｓ４４に移る。
【００５２】
Ｓ４４では、入力手段３２からポイントが入力されたか否かを判断し、ポイント入力されていれば、メモリｗ（第１の記憶手段２８、２９に相当）に入力されたポイントを記憶させ（Ｓ４５）、その内容をメモリｗに対応するウインドウに表示させる（Ｓ４６）。一方、ポイント入力されていなければ、Ｓ４０へ戻る。
【００５３】
上記実施の形態に係る信号パターン作成システム（３）によれば、複数のウインドウｗ1、ｗ2を同時にオープンにして、複数の信号パターンＳ5、Ｓ6を同一画面上で作成することができるので、作業者にとって大変使い勝手の良いものとなる。
【００５４】
図１２（ａ）、図１３（ａ）は、実施の形態に係る信号パターン作成システム（３）に基づいて構成された別の実施の形態に係る信号パターン作成システムより表示手段３３に表示される画面の一例を示したものである。
【００５５】
図１２（ａ）は、一方のウインドウｗ1上で作成する信号パターンＳ5の参考図として、他のウインドウｗ2上の信号パターンＳ6をウインドウｗ1上に表示させるように構成することによって得られる画面である。続いて、この制御におけるＣＰＵ２７の動作を図１２（ｂ）に示したフローチャートに基づいて説明する。但し、ここではウインドウｗ2上に表示されている信号パターンＳ6を参考図として利用する場合について説明する。
まず、参考図として利用するウインドウｗ2の指定があったか否かを判断する（Ｓ４７）。指定があれば、ウインドウｗ2に対応するメモリｗ2に記憶されている信号パターンＳ6のデータを取り込み（Ｓ４８）、そして信号パターンＳ6と同一の信号パターンＳ6’を作成中のウインドウｗ1に表示させる（Ｓ４９）。
【００５６】
これによって、同一ウインドウ上に他のウインドウ上で作成する信号パターンＳ6’を表示させることによって、信号パターンの作成が容易となる。
【００５７】
図１３（ａ）は、参考図として利用されているウインドウｗ2上の信号パターンＳ6が信号パターンＳ６ａに変更されると、ウインドウｗ1上に表示されている参考図としての信号パターンＳ6’も同様にパターンＳ６ａ’に変更されるように構成することによって得られる画面である。続いて、この制御におけるＣＰＵ２７の動作を図１３（ｂ）に示したフローチャートに基づいて説明する。但し、ここではウインドウｗ2上に表示されている信号パターンＳ6を参考図として利用している場合について説明する。
まず、ウインドウｗ2上の信号パターンＳ6に変更があったか否かを判断する（Ｓ５０）。変更があれば、変更後の信号パターンＳ６ａと同一の信号パターンＳ６ａ’に表示変更させる（Ｓ５１）。
【００５８】
これによって、参考図として利用している信号パターンの原本自体に変更があれば、参考図として利用している側の信号パターンも同様に変更されるようになっているので、作業者にとって大変使い勝手の良いものとなる。
【図面の簡単な説明】
【図１】（ａ）は本発明の実施の形態に係る信号パターン作成システム（１）の要部を概略的に示したブロック図であり、（ｂ）は前記信号パターン作成システムにおけるＣＰＵの動作を示したフローチャートである。
【図２】（ａ）は表示手段に表示される画面の一例を示したものであり、（ｂ）はその画面表示制御に対応するＣＰＵの動作を示したフローチャートである。
【図３】（ａ）は表示手段に表示される画面の一例を示したものであり、（ｂ）はその画面表示制御に対応するＣＰＵの動作を示したフローチャートである。
【図４】（ａ）は表示手段に表示される画面の一例を示したものであり、（ｂ）はその画面表示制御に対応するＣＰＵの動作を示したフローチャートである。
【図５】（ａ）は表示手段に表示される画面の一例を示したものであり、（ｂ）はその画面表示制御に対応するＣＰＵの動作を示したフローチャートである。
【図６】（ａ）は表示手段に表示される画面の一例を示したものであり、（ｂ）はその画面表示制御に対応するＣＰＵの動作を示したフローチャートである。
【図７】（ａ）は表示手段に表示される画面の一例を示したものであり、（ｂ）はその画面表示制御に対応するＣＰＵの動作を示したフローチャートである。
【図８】実施の形態に係る信号パターン作成システム（２）の要部を概略的に示したブロック図である。
【図９】実施の形態に係る信号パターン作成システム（２）におけるＣＰＵの動作を示したフローチャートである。
【図１０】実施の形態に係る信号パターン作成システム（３）の要部を概略的に示したブロック図である。
【図１１】実施の形態に係る信号パターン作成システム（３）におけるＣＰＵの動作を示したフローチャートである。
【図１２】（ａ）は表示手段に表示される画面の一例を示したものであり、（ｂ）はその画面表示制御に対応するＣＰＵの動作を示したフローチャートである。
【図１３】（ａ）は表示手段に表示される画面の一例を示したものであり、（ｂ）はその画面表示制御に対応するＣＰＵの動作を示したフローチャートである。
【図１４】従来における信号パターン作成システムの要部を概略的に示したブロック図である。
【図１５】評価システムに従来の信号パターン作成システムを組み込んだ構成の一例を示したブロック図である。
【符号の説明】
１、１４、２０、２７  ＣＰＵ
２  メモリ
３、１７、２４、３２  入力手段
４、１８、２５、３３  表示手段
５、１９、２６、３４  バス線
６  パソコン
７  本体部
８  キーボード
９  マウス
１０  ディスプレイ
１１  出力装置
１２  入力装置
１３  被試験物
１５、２１、２２、２８、２９  第１の記憶手段
１６  第２の記憶手段
２３  第１の切換手段
３１  第２の切換手段
【図０１】
0003578922.tif 000002
【図０２】
0003578922.tif 000003
【図０３】
0003578922.tif 000004
【図０４】
0003578922.tif 000005
【図０５】
0003578922.tif 000006
【図０６】
0003578922.tif 000007
【図０７】
0003578922.tif 000008
【図０８】
0003578922.tif 000009
【図０９】
0003578922.tif 000010
【図１０】
0003578922.tif 000011
【図１１】
0003578922.tif 000012
【図１２】
0003578922.tif 000013
【図１３】
0003578922.tif 000014
【図１４】
0003578922.tif 000015
【図１５】
0003578922.tif 000016